(57)【要約】【課題】電力ケーブルを牽引する方向または電力ケーブルを支持する方法を効率良く且つ安全に変更することができるプーリングアイを提供する。【解決手段】１以上の電力ケーブルの端部を固定する固定部と、固定部の電力ケーブルが固定される側と反対側に設けられる連結部と、連結部に設けられ、電力ケーブルを牽引する牽引治具が連結される第１開口と、連結部に設けられ、電力ケーブルを牽引する牽引治具が連結され、中心軸が第１開口の中心軸と異なる方向に向いている、または向くことが可能である第２開口と、を有する。【選択図】図１
2015109766.tif 000002
【特許請求の範囲】
【請求項１】
１以上の電力ケーブルの端部を固定する固定部と、
前記固定部の前記電力ケーブルが固定される側と反対側に設けられる連結部と、
前記連結部に設けられ、前記電力ケーブルを牽引する牽引治具が連結される第１開口と、
前記連結部の前記第１開口と異なる位置に設けられ、前記電力ケーブルを牽引する牽引治具が連結される第２開口と、
を有する
ことを特徴とするプーリングアイ。
【請求項２】
前記第２開口の中心軸は、前記第１開口の中心軸と異なる方向に向いている、または向くことが可能である
ことを特徴とする請求項１に記載のプーリングアイ。
【請求項３】
前記第２開口の中心軸は、前記第１開口の中心軸と垂直な方向に向くよう設けられる
ことを特徴とする請求項２に記載のプーリングアイ。
【請求項４】
前記第２開口は、前記連結部の前記第１開口が貫通する２つの側面と異なる一方の側面から他方の側面に向けて設けられる
ことを特徴とする請求項２または３に記載のプーリングアイ。
【請求項５】
前記連結部は、
前記第１開口が設けられる第１連結部と、
前記第１連結部とは別部材として前記第１連結部に固定され、前記第２開口が設けられる第２連結部と、
を有し、
前記第１連結部は、側面に設けられたネジ穴を有し、
前記第２連結部は、
前記第２開口が設けられるアイ部と、
前記アイ部に接し前記ネジ穴に螺合する外ネジ部と、
を有する
ことを特徴とする請求項２〜４のいずれか１項に記載のプーリングアイ。
【請求項６】
前記ネジ穴は、前記第１開口の中心軸と垂直な方向に沿って設けられる
ことを特徴とする請求項５に記載のプーリングアイ。
【請求項７】
前記ネジ穴は、前記第１連結部の先端に前記電力ケーブルの軸方向に沿って設けられる
ことを特徴とする請求項５または６に記載のプーリングアイ。
【請求項８】
前記ネジ穴は、前記第１連結部の側面に前記電力ケーブルの軸方向に垂直な方向に沿って設けられる
ことを特徴とする請求項５または６に記載のプーリングアイ。
【請求項９】
前記第２連結部は、前記外ネジ部に螺合し、前記第２開口の中心軸の方向を固定するナット部を有する
ことを特徴とする請求項５〜８のいずれか１項に記載のプーリングアイ。
【請求項１０】
前記連結部は、
前記第１開口が設けられる第１板状部と、
前記第１板状部と垂直な方向に立設し、前記第２開口が設けられる第２板状部と、
を有する
ことを特徴とする請求項１〜９のいずれか１項に記載のプーリングアイ。
【発明の詳細な説明】
【技術分野】
【０００１】
本発明は、プーリングアイに関する。
【背景技術】
【０００２】
管路などに電力ケーブルを引き入れて布設する際、電力ケーブルの端部にプーリングアイ（牽引端子）を取り付け、プーリングアイに設けられた開口にワイヤを接続し、ワイヤを牽引することにより、管路に電力ケーブルを引き入れる（例えば、特許文献１参照）。
【先行技術文献】
【特許文献】
【０００３】
【特許文献１】特開平１０−２３６４９号公報
【発明の概要】
【発明が解決しようとする課題】
【０００４】
電力ケーブルを牽引する方向を変更する際には、例えば、異なる方向に電力ケーブルを牽引するために、プーリングアイの開口に新たに牽引治具を付け替える必要がある。このため、予め例えば仮固定をするなどの中間的な工程が必要となったり、複数の牽引治具等の仮固定部材が必要となったりする可能性がある。また、直前まで電力ケーブルを牽引するために用いられてきた牽引治具を安全に解除することができない可能性もある。
【０００５】
また、電力ケーブルを布設する管路の終点に達した際にもプーリングアイの開口に新たに牽引治具を付け替える必要があるため、上記した電力ケーブルを牽引する方向を変更する際と同様にして、電力ケーブルを支持する方法を効率良く且つ安全に変更することができない可能性がある。
【０００６】
電力ケーブルを牽引する張力は、数ｔ〜数十ｔ程度であり、牽引治具も耐荷重のために大型化し、またその重量も増加する傾向にある。このため、上記のように牽引作業における作業性や安全性を向上させることは重要となる。
【０００７】
本発明の目的は、電力ケーブルを牽引する方向または電力ケーブルを支持する方法を効率良く且つ安全に変更することができるプーリングアイを提供することである。
【課題を解決するための手段】
【０００８】
本発明の第１の態様によれば、
１以上の電力ケーブルの端部を固定する固定部と、
前記固定部の前記電力ケーブルが固定される側と反対側に設けられる連結部と、
前記連結部に設けられ、前記電力ケーブルを牽引する牽引治具が連結される第１開口と、
前記連結部の前記第１開口と異なる位置に設けられ、前記電力ケーブルを牽引する牽引治具が連結される第２開口と、
を有する
プーリングアイが提供される。
【０００９】
本発明の第２の態様によれば、
前記第２開口の中心軸は、前記第１開口の中心軸と異なる方向に向いている、または向くことが可能である
第１の態様に記載のプーリングアイが提供される。
【００１０】
本発明の第３の態様によれば、
前記第２開口の中心軸は、前記第１開口の中心軸と垂直な方向に向くよう設けられる
第２の態様に記載のプーリングアイが提供される。
【００１１】
本発明の第４の態様によれば、
前記第２開口は、前記連結部の前記第１開口が貫通する２つの側面と異なる一方の側面から他方の側面に向けて設けられる
第２または第３の態様に記載のプーリングアイが提供される。
【００１２】
本発明の第５の態様によれば、
前記連結部は、
前記第１開口が設けられる第１連結部と、
前記第１連結部とは別部材として前記第１連結部に固定され、前記第２開口が設けられる第２連結部と、
を有し、
前記第１連結部は、側面に設けられたネジ穴を有し、
前記第２連結部は、
前記第２開口が設けられるアイ部と、
前記アイ部に接し前記ネジ穴に螺合する外ネジ部と、
を有する
第２〜第４の態様に記載のプーリングアイが提供される。
【００１３】
本発明の第６の態様によれば、
前記ネジ穴は、前記第１開口の中心軸と垂直な方向に沿って設けられる
第５の態様に記載のプーリングアイが提供される。
【００１４】
本発明の第７の態様によれば、
前記ネジ穴は、前記第１連結部の先端に前記電力ケーブルの軸方向に沿って設けられる
第５または第６の態様のいずれかに記載のプーリングアイが提供される。
【００１５】
本発明の第８の態様によれば、
前記ネジ穴は、前記第１連結部の側面に前記電力ケーブルの軸方向に垂直な方向に沿って設けられる
第５または第６の態様のいずれかに記載のプーリングアイが提供される。
【００１６】
本発明の第９の態様によれば、
前記第２連結部は、前記外ネジ部に螺合し、前記第２開口の中心軸の方向を固定するナット部を有する
第５〜第８の態様に記載のプーリングアイが提供される。
【００１７】
本発明の第１０の態様によれば、
前記連結部は、
前記第１開口が設けられる第１板状部と、
前記第１板状部と垂直な方向に立設し、前記第２開口が設けられる第２板状部と、
を有する
第１〜第９の態様に記載のプーリングアイが提供される。
【発明の効果】
【００１８】
本発明によれば、電力ケーブルを牽引する方向または電力ケーブルを支持する方向を効率良く且つ安全に変更することができるプーリングアイが提供される。
【図面の簡単な説明】
【００１９】
【図１】本発明の一実施形態に係るプーリングアイを示す模式図である。
【図２】（ａ）は本発明の一実施形態に係るプーリングアイの第１の使用方法を示す模式図であり、（ｂ）は本発明の一実施形態に係るプーリングアイの第１の使用方法において使用される牽引治具を示す模式図である。
【図３】（ａ）および（ｂ）は比較例に係るプーリングアイの使用方法を示す模式図である。
【図４】（ａ）および（ｂ）は本発明の一実施形態に係るプーリングアイの第２の使用方法を示す模式図であり、（ｃ）は第２の使用方法で用いられる牽引治具を示す模式図である。
【図５】（ａ）は本発明の一実施形態に係るプーリングアイを示す斜視図であり、（ｂ）は本発明の一実施形態の変形例１に係るプーリングアイを示す斜視図であり、（ｃ）は本発明の一実施形態の変形例２に係るプーリングアイを示す斜視図であり、（ｄ）は本発明の一実施形態の変形例３に係るプーリングアイを示す斜視図である。
【図６】（ａ）は本発明の一実施形態の変形例４に係るプーリングアイを示す斜視図であり、（ｂ）は本発明の一実施形態の変形例５に係るプーリングアイを示す斜視図であり、（ｃ）は本発明の一実施形態の変形例６に係るプーリングアイを示す斜視図である。
【図７】（ａ）は本発明の一実施形態の変形例７に係るプーリングアイを示す斜視図であり、（ｂ）は本発明の一実施形態の変形例８に係るプーリングアイを示す斜視図である。
【図８】（ａ）は本発明の一実施形態に係るプーリングアイを示す斜視図であり、（ｂ）は平面図であり、（ｃ）は左側面図であり、（ｄ）は正面図であり、（ｅ）は右側面図であり、（ｆ）は底面図であり、（ｇ）は（ｂ）におけるＡ−Ａ線断面図であり、（ｈ）は背面図である。
【図９】（ａ）は変形例４に係るプーリングアイを示す斜視図であり、（ｂ）は平面図であり、（ｃ）は左側面図であり、（ｄ）は正面図であり、（ｅ）は右側面図であり、（ｆ）は底面図であり、（ｇ）は（ｂ）におけるＡ−Ａ線断面図であり、（ｈ）は背面図である。
【発明を実施するための形態】
【００２０】
＜本発明の一実施形態＞
（１）プーリングアイの構造
本発明の一実施形態に係るプーリングアイ２００について、図１および図５（ａ）を用いて説明する。図１は、本実施形態に係るプーリングアイを示す模式図である。図５（ａ）は、本実施形態に係るプーリングアイを示す斜視図である。図８（ａ）は本発明の一実施形態に係るプーリングアイを示す斜視図であり、（ｂ）は平面図であり、（ｃ）は左側面図であり、（ｄ）は正面図であり、（ｅ）は右側面図であり、（ｆ）は底面図であり、（ｇ）は（ｂ）におけるＡ−Ａ線断面図であり、（ｈ）は背面図である。
【００２１】
本実施形態に係るプーリングアイ２００は、電力ケーブル１００の端部に取り付けられることにより、電力ケーブル１００を牽引する牽引治具等と電力ケーブル１００とを連結するよう構成される。本実施形態における「電力ケーブル１００」とは、例えば高圧電力の地中送電線として用いられるＣＶケーブル（Ｃｒｏｓｓ−Ｌｉｎｋｅｄ  Ｐｏｌｙｅｔｈｙｌｅｎｅ  ｉｎｓｕｌａｔｅｄ  Ｖｉｎｙｌ  ｓｈｅａｔｈ  ｃａｂｌｅ）である。
【００２２】
本実施形態に係るプーリングアイ２００は、例えば、１以上の電力ケーブル１００の端部を固定する固定部（固定キャップ）２４０と、固定部２４０の電力ケーブル１００が固定される側と反対側に設けられる連結部２２０と、連結部２２０に設けられ電力ケーブル１００を牽引する牽引治具（６００）が連結される第１開口４２０と、連結部２２０の第１開口４２０と異なる位置に設けられ、電力ケーブル１００を牽引する牽引治具（６００）が連結される第２開口４４０と、を有する。なお、ここでいう「電力ケーブル１００を牽引する牽引治具（６００）」とは、例えば、牽引用のワイヤ（不図示）、シャックル（不図示）などである。以下詳細を説明する。
【００２３】
なお、本実施形態のプーリングアイ２００は、例えば３本の電力ケーブル１００を牽引するよう構成される。
図１（ａ）では、牽引される３本の電力ケーブル１００のうち２本が示されている。
【００２４】
（電力ケーブル）
図１（ａ）に示されているように、本実施形態に係る電力ケーブル１００は、軸芯に導体（導電芯線）を有するケーブルコア１０２と、ケーブルコア１０２の外周を覆うケーブルシース１０４と、を有する。なお、導体は、直径が例えば２ｍｍ〜３．５ｍｍの金属線（主に銅またはアルミニウムからなる）を撚り合わせた導電芯線である。
【００２５】
ケーブルコア１０２は、軸心から径方向に向かって順に、例えば、導体、内部半導電層、絶縁体、外部半導電層、クッションテープ、および遮蔽層を有している。遮蔽層は、例えば、複数本の金属線（いわゆるワイヤーシールド）をらせん巻きすることにより形成されている。
【００２６】
電力ケーブル１００の端部には、複数の電力ケーブル１００をまとめて牽引することができるように後述する分岐板２６０に連結される鋼スリーブ３００が設けられる。鋼スリーブ３００は、電力ケーブル１００の軸方向に沿って電力ケーブル１００の導体の端部を包むように固定する筒状のスカート部３４０と、スカート部３４０の電力ケーブル１００が固定される側と反対側に設けられスカート部３４０の直径よりも小さい直径を有する円柱状のロッド部３２０と、を有する。ロッド部３２０の少なくとも先端の外周には、外ネジ部３２２が設けられる。外ネジ部３２２には、後述するナット部２８０が螺合する。また、ロッド部３２０の先端には、ロッド部３２０の軸方向と垂直の方向に貫通する割りピン孔３２６が設けられる。
【００２７】
また、鋼スリーブ３００のスカート部３４０およびケーブルシース１０４の間には、防水パテ３６６ａ（３６６）により防水処理が施される。これにより、鋼スリーブ３００のスカート部３４０およびケーブルシース１０４の間から電力ケーブル１００のケーブルコア１０２が露出することが抑制される。
【００２８】
また、鋼スリーブ３００のスカート部３４０の直径は、電力ケーブル１００の直径よりも小さい。電力ケーブル１００のケーブルシース１０４は、鋼スリーブ３００のスカート部３４０に向けて径が細くなるように形成されている。ケーブルシース１０４の径が細くなる部分にも、上記した防水パテ３６６ｂにより防水処理が施される。
【００２９】
鋼スリーブ３００の外周、およびケーブルシース１０４の鋼スリーブ３００側の外周には、防水層３６２が被覆され、さらにその上から押さえテープ３６４が巻かれる。さらに、３つの電力ケーブル１００の押さえテープ３６４の外周からは、３つの電力ケーブル１００を一括して覆うように、補強層３８０が設けられる。これにより、鋼スリーブ３００と電力ケーブル１００との間から、水分などが侵入または浸透することが抑制される。
【００３０】
（プーリングアイ）
次に、本実施形態のプーリングアイ２００について説明する。
【００３１】
（固定部）
図１（ａ）に示されているように、プーリングアイ２００は、電力ケーブル１００の端部を固定する固定部２４０を有する。固定部２４０は、少なくともその一方の端部側が筒状に設けられ、内部に電力ケーブル１００の端部を覆った状態で固定するように構成される。具体的には、固定部２４０は、筒状に設けられ電力ケーブル１００の端部が挿入される筒状部２４２と、筒状部２４２の軸方向に沿って内周に設けられた内ネジ部２４４と、外ネジが外周に設けられ複数の電力ケーブル１００のそれぞれの端部を分岐して固定する分岐板２６０と、を有する。分岐板２６０は、外周の外ネジが内ネジ部２４４に螺合することにより、筒状部２４２の内部に固定される。
【００３２】
分岐板２６０は、筒状部２４２の軸方向に貫通する貫通孔２６２を有し、上述した鋼スリーブ３００のロッド部３２０は、貫通孔２６２に挿入される。ロッド部３２０の先端は、分岐板２６０の貫通孔２６２から突出し、ロッド部３２０の先端における外ネジ部３２２には、ナット部２８０が螺合される。ナット部２８０を締め付けることにより、鋼スリーブ３００の肩が分岐板２６０に当接する。これにより、鋼スリーブ３００は分岐板２６０に固定される。したがって、複数の電力ケーブル１００は、それぞれの鋼スリーブ３００が分岐板２６０に固定されることにより、固定部２４０に一括して固定される。なお、鋼スリーブ３００の割りピン孔３２６には、割りピン（符号不図示）が挿入され、ナット部２８０がロッド部３２０から外れることが抑制される。
【００３３】
また、内ネジ部２４４の分岐板２６０と重なる位置には、ビス取り付け孔２４８が貫通して設けられる。ビス取り付け孔２４８には、ビス（符号不図示）が螺合することにより、筒状部２４２に分岐板２６０が強固に固定される。
【００３４】
（連結部）
一方、図１（ａ）および（ｂ）に示されているように、固定部２４０の電力ケーブル１００が固定される側と反対側には、連結部２２０が設けられる。連結部２２０は、電力ケーブル１００を牽引する牽引治具（６００）が様々な方向から連結されるよう構成され、第１開口４２０および第２開口４４０を有する。例えば、第１開口４２０および第２開口４４０のそれぞれは、連結部２２０の一方の側面から他方の側面に向かって貫通して設けられる。
【００３５】
第１開口４２０は、例えば、電力ケーブル１００をその軸方向に牽引する牽引治具が連結されるよう構成される。第１開口４２０の形状および大きさは、上記した牽引治具の形状および大きさに合わせて設定される。具体的には、第１開口４２０の形状は、例えば、円筒状であり、その直径は、４４ｍｍ以上４７ｍｍ以下である。
【００３６】
一方、第２開口４４０は、例えば第１開口４２０に連結される牽引治具と異なる牽引治具が連結されるよう構成され、連結部２２０の第１開口４２０と異なる位置に離間して設けられる。
【００３７】
本実施形態では、図５（ａ）に示されているように第２開口４４０の中心軸は、第１開口４２０の中心軸と異なる方向に向いて設けられる。本実施形態では、例えば、第２開口４４０の中心軸は、第１開口４２０の中心軸と垂直な方向に向くよう設けられる。これにより、第２開口４４０には、第１開口４２０と異なる方向から牽引治具を連結することができる。
【００３８】
また、本実施形態では、第２開口４４０は、第１開口４２０と同一の連結部２２０に設けられ、連結部２２０の第１開口４２０が貫通する２つの側面と異なる一方の側面から他方の側面に向けて設けられる。言い換えれば、本実施形態では、第２開口４４０の中心軸の向きは可変ではないので、本実施形態は、例えば、電力ケーブル１００を牽引する方向を垂直な方向に変更することが決まっている場合に適している。
【００３９】
連結部２２０の厚さは、牽引する電力ケーブル１００の張力に基づいて設計され、例えば、３９．５ｍｍ以上４０．５ｍｍ以下である。また、連結部２２０の電力ケーブル１００の軸方向の長さは、例えば２００ｍｍ以上２１０ｍｍ以下である。
【００４０】
第２開口４４０の形状および大きさは、第１開口４２０と同様に、上記した牽引治具の形状および大きさに合わせて設定される。具体的には、第２開口４４０の形状は、例えば、円筒状であり、その直径は、例えば第１開口４２０の直径と等しく、３９．５ｍｍ以上４０．５ｍｍ以下である。
【００４１】
また、第２開口４４０は、連結部２２０で第１開口４２０から離間して設けられる。第１開口４２０の中心軸と第２開口４４０の中心軸との距離は、第１開口４２０に連結される牽引治具（６００）が第２開口４４０に連結される牽引治具（６００）に干渉しないように設定される。具体的には、第１開口４２０の中心軸と第２開口４４０の中心軸との距離は、例えば、１００ｍｍ以上１５０ｍｍ以下である。
【００４２】
プーリングアイ２００の材質は、牽引する電力ケーブル１００の荷重によって選択され、具体的には、例えば、鉄（ＳＦ４４０，ＦＣＤ４５）である。
【００４３】
（２）プーリングアイの使用方法
次に、図２および図４を用い、本実施形態のプーリングアイ２００の使用方法について説明する。
【００４４】
（第１の使用方法）
図２を用い、第１の使用方法として、電力ケーブル１００を牽引する方向を変更する際に、本実施形態のプーリングアイ２００を使用する場合について説明する。図２（ａ）は、本実施形態に係るプーリングアイ２００の第１の使用方法を示す模式図である。以下、第１の使用方法として、例えば、電力ケーブル１００を鉛直上方に牽引する際に、鉛直上方から傾斜した方向に電力ケーブル１００を牽引する方向を変更する場合について考える。
【００４５】
図２（ａ）に示されているように、電力ケーブル１００の端部を固定するプーリングアイ２００の連結部２２０には、例えば二つの牽引治具６００が連結される。この牽引治具６００は、例えば、シャックル６０２，６０４である。
【００４６】
図２（ｂ）に示されているように、牽引治具６００としてのシャックル６０２は、ワイヤ７２２等が連結されるＵ字型または馬蹄型の本体部６２２と、プーリングアイ２００の連結部２２０に連結されるピン部６２４と、を有する。本体部６２２のＵ字型の一端には貫通開口（符号不図示）が設けられ、他端にはネジ穴（符号不図示）が設けられる。ピン部６２４の一端には外ネジが設けられており、貫通開口にピン部６２４が挿入されピン部６２４の外ネジが螺合することにより、ピン部６２４が本体部６２２に固定される。本体部６２２とピン部６２４とで囲まれた領域内には、ワイヤまたはプーリングアイ２００が回動可能な状態で連結される。
【００４７】
図２（ａ）に示されているように、プーリングアイ２００の第１開口４２０には、シャックル６０２が連結される。シャックル６０２の本体部６２２には、ワイヤ７２２が固定されており、ワイヤ７２２は、鉛直上方に取り付けられた金車８００を介して、ウインチ７００（７０２）に接続される。ウインチ７０２がワイヤ７２２を巻き上げることにより、電力ケーブル１００は金車８００を介して鉛直上方に牽引される。このとき、電力ケーブルを牽引するときの電力ケーブルの張力は例えば数ｔ〜数十ｔである。
【００４８】
一方、プーリングアイ２００の第２開口４４０には、シャックル６０４が連結される。シャックル６０４の本体部６２２には、ワイヤ７２４が固定されており、ワイヤ７２４は、金車８００とは異なる方向に設けられたウインチ７０４に接続される。
【００４９】
このとき、ウインチ７０４は、ウインチ７０２が巻取を停止し鉛直上方にワイヤ７２２を引っ張る張力を維持したまま、ワイヤ７２４を巻き上げる。これにより、電力ケーブル１００は徐々にウインチ７０４の方向に引っ張られていく。ウインチ７０４がワイヤ７２４をさらに巻き上げていくことにより、徐々に電力ケーブル１００が牽引される方向がウインチ７０４に向かう方向に変更されていく。これに伴って、ワイヤ７２２が鉛直上方に引っ張られる張力が徐々に減少していく。ワイヤ７２２が鉛直上方に引っ張られる張力が充分に減少したときに、ウインチ７０２にワイヤ７２２を介して連結されたシャックル６０２を外す。これにより、電力ケーブル１００は、第２開口４４０に連結されたシャックル６０４を介して、ウインチ７０４の方向、すなわち鉛直上方から傾斜した方向に牽引されるようになる。このように、電力ケーブル１００を牽引する方向を安全に変更することができる。
【００５０】
（第２の使用方法）
図４を用い、第２の使用方法として、電力ケーブル１００を布設する管路２０の終点に達した際に、本実施形態のプーリングアイ２００を使用する場合について説明する。図４（ａ）および（ｂ）は、本実施形態に係るプーリングアイの第２の使用方法を示す模式図であり、（ｃ）は第２の使用方法で用いられる牽引治具を示す模式図である。以下、第２の使用方法として、水平方向に開設されたマンホール等の管路２０に電力ケーブル１００を布設する場合について考える。
【００５１】
図４（ａ）に示されているように、電力ケーブル１００を布設する管路２０の終点から、電力ケーブル１００が引き出される。このとき、電力ケーブル１００は、支持台８２０などに支持されながら牽引される。電力ケーブル１００の端部を固定するプーリングアイ２００の第１開口４２０には、牽引治具６００が連結される。
【００５２】
図４（ｃ）に示されているように、牽引治具６００は、例えば、撚り戻し部６４０と、ワイヤヘッド６６０と、を有する。撚り戻し部６４０は、両端に開口６４２，６４４を有する。ワイヤヘッド６６０は開口６６２を有し、ワイヤヘッド６６０の開口６６２の反対側には、ワイヤ７２６の端部が接続される。
【００５３】
図４（ａ）に示されているように、第１開口４２０および撚り戻し部６４０の開口６４２には、ボルト６４６が挿入されることにより、プーリングアイ２００は、撚り戻し部６４０に連結される。また、撚り戻し部６４０の開口６４４およびワイヤヘッド６６０の開口６６２には、ボルト６４８が挿入されることにより、撚り戻し部６４０は、ワイヤヘッド６６０に連結される。
【００５４】
例えば管路２０の終点の壁面９０には、金車８０２が設けられる。ワイヤ７２６は、金車８０２を介して、ウインチ７０６に接続される。ウインチ７０６がワイヤ７２６を巻き上げることにより、電力ケーブル１００は金車８０２を介して水平方向に牽引される。
【００５５】
次に、図４（ｂ）に示されているように、プーリングアイ２００の第２開口４４０には、シャックル６０６が連結される。シャックル６０６の本体部６２２にはワイヤ７２８が固定されており、ワイヤ７２６は、金車８０２が設けられた位置よりも鉛直上方に設けられた壁面固定部８０４に固定される。
【００５６】
このとき、壁面９０からシャックル６０６までのワイヤ７２８の長さを調節することにより、電力ケーブル１００の荷重を全てワイヤ７２８に加わるようにする。これにより、ワイヤ７２８が水平方向に引っ張られる張力が減少する。そこで、ウインチ７０６にワイヤ７２６を介して連結されたワイヤヘッド６６０または撚り戻し部６４０をプーリングアイ２００から取り外す。これにより、電力ケーブル１００は、第２開口４４０に連結されたシャックル６０６を介して、壁面固定部８０４に固定されたワイヤ７２８によって支持されるようになる。このように、電力ケーブル１００を布設する管路２０の終点に達した際に、電力ケーブル１００を支持するのに用いられたウインチ７０６からプーリングアイ２００を安全に切り離すことができる。
【００５７】
（２）本実施形態に係る効果
本実施形態やその変形例によれば、以下に示す１つ又は複数の効果を奏する。
【００５８】
（ａ）本実施形態によれば、プーリングアイ２００の連結部２２０は、第１開口４２０および第２開口４４０を有する。これにより、電力ケーブルを牽引する方向または支持する方向を安全に変更することができる。
【００５９】
ここで、図３を用い、比較例として、一つの開口４２０’だけを有するプーリングアイ２００により電力ケーブル１００’を牽引する方法について考える。図３（ａ）および（ｂ）は、比較例に係るプーリングアイの使用方法を示す模式図である。比較例では、電力ケーブル１００’を牽引する方向を変更するために、例えば以下のような方法が適用される。
【００６０】
図３（ａ）に示されているように、比較例では、例えば、プーリングアイ２００’の開口４２０’には、シャックル６０２’が連結される。シャックル６０２’には、さらにシャックル６０４’が連結される。シャックル６０４’には、ワイヤ７２２’が固定されており、ワイヤ７２２’は鉛直上方に取り付けられた金車８００’を介してウインチ７０２’に接続される。ウインチ７０２’がワイヤ７２２’を巻き上げることにより、電力ケーブル１００’は金車８００’を介して鉛直上方に牽引される。このように、電力ケーブル１００’を牽引する方向を変更するのに備えて、電力ケーブル１００’は、二つのシャックル６０２’，６０４’が互いに連結された状態で、鉛直上方に牽引される。
【００６１】
一方、ウインチ７０２’が巻取を停止し鉛直上方にワイヤ７２２’を引っ張る張力を維持したまま、開口４２０’に連結されたシャックル６０２’には、電力ケーブル１００’を牽引する方向を変更するように、さらにシャックル６０６’が連結される。シャックル６０６’にはワイヤ７８２’が固定されており、ワイヤ７８２’は、金車８００’とは異なる方向であって電力ケーブル１００’を新たに牽引する方向に設けられたワイヤ固定部７６２’に接続され仮固定される。
【００６２】
さらに、電力ケーブル１００’のプーリングアイ２００’の近傍には、ワイヤ７８４’が巻きつけられ、電力ケーブル１００’はワイヤ７８４’によって把持される。ワイヤ７８４’はワイヤ固定部７６２’にワイヤ７８２’が引っ張られる方向と同じ側に設けられたワイヤ固定部７６４’に接続され仮固定される。
【００６３】
このように、電力ケーブル１００’は、ワイヤ固定部７６２’およびワイヤ固定部７６４’の方向に引っ張られた状態で仮固定される。
【００６４】
次に、図３（ｂ）に示されているように、電力ケーブル１００’がワイヤ固定部７６２’およびワイヤ固定部７６４’の方向に引っ張られた状態で仮固定されたまま、ウインチ７０２’にワイヤ７２２’を介して連結されたシャックル６０４’を外す。
【００６５】
次に、シャックル６０２’には、新たにシャックル６０８’が連結される。シャックル６０８’には、ワイヤ７２４’が固定されており、ワイヤ７２４’は、電力ケーブル１００’を新たに牽引する方向に設けられたウインチ７０４’に接続される。
【００６６】
このとき、ウインチ７０４’は、電力ケーブル１００’がワイヤ固定部７６２’およびワイヤ固定部７６４’の方向に引っ張られた状態で仮固定されたまま、ワイヤ７２４’を巻き上げる。これにより、電力ケーブル１００’はウインチ７０４’の方向に引っ張られる。ワイヤ７８２’が仮固定された方向に引っ張られる張力が充分に減少したときに、仮固定に用いられていたシャックル６０６’をシャックル６０２’から外すとともに、ワイヤ７８４’を電力ケーブル１００’から取り外す。
【００６７】
このように、比較例では、電力ケーブル１００’を牽引する方向を変更するためには、予め例えば仮固定をするなどの中間的な工程が必要となったり、複数のシャックル６０４’等の仮固定部材が必要となったりする可能性がある。
【００６８】
また、上記した比較例では、複数のシャックル６０４’等を一つのシャックル６０２’に連結して仮固定する際、複数のシャックル６０４’等は安定した配置とならないため、シャックル６０２’には不安定な力が印加される可能性がある。また、電力ケーブル１００’がワイヤ固定部７６２’およびワイヤ固定部７６４’の方向に引っ張られて仮固定された状態では、シャックル６０２’からシャックル６０４’を外す際に、シャックル６０４’に力が印加されたままとなる。したがって、比較例では、直前まで電力ケーブル１００’を牽引するために用いられてきたシャックル６０４’を安全に解除することができない可能性もある。
【００６９】
したがって、比較例では、電力ケーブル１００’を牽引する方向を効率良く且つ安全に変更することができない可能性がある。なお、上記のようにプーリングアイ２００’が一つの開口４２０’だけを有する比較例では、電力ケーブルを布設する管路の終点に達した場合でも、電力ケーブルを牽引する方向を変更する場合と同様にして、電力ケーブルを支持する方法を効率良く且つ安全に変更することができない可能性がある。
【００７０】
これに対して、本実施形態によれば、図２（ａ）に示されているように、電力ケーブル１００を牽引する方向を変更する際に、プーリングアイ２００の第１開口４２０にシャックル６０２が連結されている状態で、第２開口４４０にシャックル６０４を連結することができる。すなわち、本実施形態では、比較例のように仮固定などの中間的な工程を介することなく、電力ケーブル１００を牽引する方向を変更することができ、比較例のように仮固定部材を必要としない。
【００７１】
また、本実施形態によれば、電力ケーブル１００を牽引する方向を変更する際に、第１開口４２０とは独立して設けられた第２開口４４０にシャックル６０４が安定的に連結される。また、本実施形態では、比較例のように仮固定などの中間的な工程を介することないため、ワイヤ７２２が鉛直上方に引っ張られる張力が充分に減少したときに、ウインチ７０２にワイヤ７２２を介して連結されたシャックル６０２を外すことができる。
【００７２】
よって、本実施形態によれば、電力ケーブル１００を牽引する方向または電力ケーブル１００を支持する方法を効率良く且つ安全に変更することができる。
【００７３】
（ｂ）本実施形態によれば、第２開口４４０の中心軸が第１開口４２０の中心軸と異なる方向、例えば第１開口４２０の中心軸と垂直な方向に向いて設けられる。
【００７４】
ここで、例えば、電力ケーブルを牽引する方向をこれまで牽引してきた方向に対して垂直な方向に変更する場合が考えられる。このような場合、プーリングワイヤにはシャックル等の牽引治具を適切な方向に向けて連結する必要がある。例えば、シャックルの本体部をピン部の軸方向に垂直な方向に引っ張らなければ、シャックルが変形したりピン部が外れてしたりする可能性がある。また、例えば、シャックルのピン部に傾斜した方向から強い荷重が印加されると、ピン部が回転し外れてしまう可能性がある。
【００７５】
本実施形態によれば、プーリングアイ２００の第１開口４２０にシャックル６０２が連結されている状態で、第１開口４２０に対して垂直な方向に設けられた第２開口４４０にシャックル６０４を連結することができる。電力ケーブル１００を牽引する方向をこれまで牽引してきた方向に対して垂直な方向に変更する場合、牽引治具であるシャックル６０４のピン部６２４は、第２開口４４０の内壁に均一に当接する。プーリングアイ２００は、ピン部６２４の軸方向に垂直な方向が新たな牽引方向と等しい状態で引っ張られる。これにより、シャックル６０４が変形したりピン部６２４が外れてしたりすることが抑制され、電力ケーブル１００を牽引する方向をこれまで牽引してきた方向に対して垂直な方向に安全に変更することができる。
【００７６】
＜本実施形態の変形例＞
上述の実施形態では、第２開口４４０が第１開口４２０と同一の連結部２２０に設けられる場合について説明したが、本発明はこれに限られるものではない。
【００７７】
以下の本実施形態の変形例は、プーリングアイの連結部における第２開口が上述の本実施形態と異なる。以下、本変形例では、上記した本実施形態と異なる要素についてのみ説明し、本実施形態で説明した要素と実質的に同一の要素には、その説明を省略する。
【００７８】
（変形例１）
図５（ｂ）は、本実施形態の変形例１に係るプーリングアイ２０１を示す斜視図である。図５（ｂ）に示されているように、変形例１のプーリングアイ２０１の第１開口４２０および第２開口４４１がそれぞれ別の連結部（２２１，５０１）に設けられる。具体的には、連結部２２０は、第１開口４２０が設けられる第１連結部２２１と、第１連結部２２１とは別部材として第１連結部２２１に固定され、第２開口４４１が設けられる第２連結部５０１と、を有する。
【００７９】
第１連結部２２１の側面には、ネジ穴５６１が設けられている。ネジ穴５６１は、第１開口４２０の中心軸と垂直な方向に沿って、且つ、第１連結部２２１の先端に電力ケーブル１００の軸方向に沿って設けられる。
【００８０】
第２連結部５０１は、例えば、第２開口４４１が設けられるアイ部５２１と、アイ部５２１に接しネジ穴５６１に螺合する外ネジ部５４１と、を有しており、例えばいわゆるアイボルトである。アイ部５２１は、例えば、第２開口４４１に沿って円形に設けられる。外ネジ部５４１は、第２開口４４１の中心軸に垂直な方向に沿って設けられる。第２連結部５０１は、外ネジ部５４１が第１連結部２２１のネジ穴５６１に螺合することにより、第１連結部２２１に固定される。
【００８１】
第１連結部２２１におけるネジ穴５６１の軸方向の長さは、外ネジ部５４１がネジ穴５６１の奥まで螺合したときに第２開口４４１の中心軸の方向が所定の方向に向くように設定される。これにより、変形例１では、第２開口４４１の中心軸を第１開口４２０の中心軸と異なる方向に向けることができる。
【００８２】
なお、変形例１では、電力ケーブル１００の軸方向に牽引する際に、第２開口４４１を用いないことが好ましい。第２開口４４１で電力ケーブル１００を牽引する場合、第２連結部５０１が回転して外ネジ部５４１が緩み、第２連結部５０１が第１連結部２２１から外れてしまう可能性がある。したがって、第１開口４２０で電力ケーブル１００を牽引した状態で電力ケーブルを牽引する方向を変更する際に第２開口４４１を用いることが好ましい。
【００８３】
変形例１によれば、第２開口４４１の中心軸の方向を第１開口４２０の中心軸から傾斜した方向を向くように配置することができ、電力ケーブル１００を牽引する方向を傾斜した方向に変更する場合に有効である。また、変形例１によれば、第２連結部５０１が連結されるネジ穴５６１は、第１連結部２２１の先端に電力ケーブル１００の軸方向に沿って設けられる。これにより、第２開口４４１の中心軸の方向を、電力ケーブル１００の軸方向を法線とする平面方向に沿って傾斜させることができる。
【００８４】
（変形例２）
図５（ｃ）は、本実施形態の変形例２に係るプーリングアイ２０２を示す斜視図である。変形例２では、第２連結部（５０２ａ等）が第１連結部２２２に固定される場所が変形例１と異なる。
【００８５】
図５（ｃ）に示されているように、変形例２の第１連結部２２２には、二つのネジ穴５６２ａ，５６２ｂが設けられる。第１連結部２２２のネジ穴５６２ａ，５６２ｂのそれぞれは、第１連結部２２２の側面に電力ケーブル１００の軸方向に垂直な方向に沿って設けられる。ネジ穴５６２ａは、ネジ穴５６２ｂが設けられた第１連結部２２２の側面と反対の側面に設けられる。
【００８６】
第２連結部５０２ａ，５０２ｂは、変形例１と同様に、例えば、アイ部（５２２ａ，５２２ｂ）と、外ネジ部（５４２ａ，５４２ｂ）と、を有する。第２連結部５０２ａの外ネジ部５４２ａが第１連結部２２２のネジ穴５６２ａに螺合し、第２連結部５０２ｂの外ネジ部５４２ｂが第１連結部２２２のネジ穴５６２ｂに螺合することにより、第２連結部５０２ａ，５０２ｂのそれぞれが第１連結部２２２に固定される。
【００８７】
第１連結部２２２におけるネジ穴５６２ａの軸方向の長さは、外ネジ部５４２ａがネジ穴５６２ａの奥まで螺合したときに第２開口４４２ａの中心軸の方向が第１開口４２０の中心軸の方向と異なる所定の方向に向くように設定される。第１連結部２２２におけるネジ穴５６２ｂの軸方向の長さについても、ネジ穴５６２ａの軸方向の長さと同様に設定される。第１連結部２２２におけるネジ穴５６２ｂの軸方向の長さは、ネジ穴５６２ａの軸方向の長さと異なっていても良い。すなわち、第２開口４４２ｂの中心軸の方向が第２開口４４２ａの中心軸の方向と異なるように構成されていてもよい。
【００８８】
変形例２によれば、第２連結部５０２ａ，５０２ｂのそれぞれが連結されるネジ穴５６２ａ，５６２ｂは、第１連結部２２２の側面に電力ケーブル１００の軸方向に垂直な方向に沿って設けられる。これにより、第２開口４４２ａ，４４２ｂの中心軸の方向を、電力ケーブル１００の軸方向に対して垂直な方向を法線とする平面方向に沿って傾斜させることができる。
【００８９】
また、変形例２によれば、第２連結部５０２ａが連結されるネジ穴５６２ａは、第２連結部５０２ｂが連結されるネジ穴５６２ｂが設けられた第１連結部２２２の側面と反対の側面に設けられる。これにより、電力ケーブル１００の軸方向に対して垂直な方向であって、プーリングアイ２０２を挟んで対向する方向に、電力ケーブル１００を牽引する方向を変更することができる。
【００９０】
（変形例３）
図５（ｄ）は、本実施形態の変形例３に係るプーリングアイ２０３を示す斜視図である。変形例３では、連結部２２０が複数の板状部（２２３，２３３ａ，２３３ｂ）と異なる。
【００９１】
図５（ｄ）に示されているように、連結部２２０は、第１開口４２０が設けられる第１板状部２２３と、第１板状部２２３と垂直な方向に立設し第２開口４４３ａが設けられる第２板状部２３３ａと、を有する。ここでは、さらに、第１板状部２２３と垂直な方向で且つ第２板状部２３３ａと反対側にも、第２板状部２３３ｂが設けられる。第２板状部２３３ｂには、第２開口４４３ｂが設けられる。第２板状部２３３ａ，２３３ｂは、例えば溶接などにより第１板状部２２３に固定される。
【００９２】
なお、第２板状部２３３ａ，２３３ｂの板厚は、第１板状部２２３の板厚と等しい。
【００９３】
また、第１板状部２２３の第２板状部２３３ａ，２３３ｂが設けられる側の近傍には、さらに第１開口４２０の中心軸の方向に沿った第３開口４４３ｃが設けられる。第３開口４４３ｃの第２板状部２３３ａを挟んで反対側には、さらに第３開口（不図示）が設けられている。
【００９４】
変形例３によれば、第１板状部２２３から立設した第２板状部２３３ａに、第２開口４４３ａが設けられる。第２板状部２３３ａは、変形例２における第２連結部５０２ａに比較して強固に第１板状部２２３に固定されることにより、第２開口４４３ａの中心軸の方向が安定する。
【００９５】
また、変形例３によれば、連結部２２０には、第１開口４２０とは別に、中心軸が第１開口４２０の中心軸と垂直な方向に向いた第２開口４４３ａ，４４３ｂと、中心軸が第１開口４２０の中心軸に沿った第３開口４４３ｃと、が設けられる。これにより、電力ケーブル１００を牽引する方向を、その軸方向に沿った方向から、軸方向に対して垂直な四方向に変更することができる。
【００９６】
（変形例４）
図６（ａ）は、本実施形態の変形例４に係るプーリングアイ２０４を示す斜視図である。図９（ａ）は変形例４に係るプーリングアイを示す斜視図であり、（ｂ）は平面図であり、（ｃ）は左側面図であり、（ｄ）は正面図であり、（ｅ）は右側面図であり、（ｆ）は底面図であり、（ｇ）は（ｂ）におけるＡ−Ａ線断面図であり、（ｈ）は背面図である。図６（ａ）に示されているように、変形例４では、連結部２２０の第１開口４２０および第２開口４４４が電力ケーブル１００の軸方向に沿って並んで配置される。また、第２開口４４４の中心軸は、第１開口４２０の中心軸に沿った方向に向いている。
【００９７】
変形例４によれば、電力ケーブル１００を牽引する方向を変更する際に、第１開口４２０に連結するシャックルのピン部と、第２開口４４４に連結されるシャックルのピン部と、が同じ方向に沿って連結され、それぞれのピン部には同じ方向から牽引する力が印加される。電力ケーブル１００を牽引する方向を第１開口４２０および第２開口４４４の中心軸に対して垂直な方向だけに変更する場合に特に有効である。
【００９８】
（変形例５）
図６（ｂ）は、本実施形態の変形例５に係るプーリングアイ２０５を示す斜視図である。図６（ｂ）に示されているように、変形例５では、連結部２２０の第１開口４２０および第２開口４４５が電力ケーブル１００の軸方向に対して垂直な方向に沿って並んで配置される。また、第２開口４４５の中心軸は、第１開口４２０の中心軸に沿った方向に向いている。
【００９９】
変形例５によれば、変形例４と同様の効果を得ることができる。
【０１００】
（変形例６）
図６（ｃ）は、本実施形態の変形例６に係るプーリングアイ２０６を示す斜視図である。図６（ｃ）に示されているように、変形例６では、連結部２２０の第２開口４４６ａ，４４６ｂは、第１開口４２０と固定部２４０との間に設けられ、第２開口４４６ａ，４４６ｂは互いに電力ケーブル１００の軸方向に対して垂直な方向に沿って並んで配置される。また、第２開口４４６ａ，４４６ｂの中心軸は、第１開口４２０の中心軸に沿った方向に向いている。
【０１０１】
変形例６によれば、変形例４及び／又は変形例５と同様の効果を得ることができる。また、変形例６のように、連結部２２０に設けられる第２開口は、複数であっても良い。
【０１０２】
（変形例７）
図７（ａ）は、本実施形態の変形例７に係るプーリングアイ２０７を示す斜視図である。変形例７では、第２連結部の第１連結部に対する固定態様が変形例１と異なる。
【０１０３】
図７（ａ）に示されているように、第２連結部５０７は、外ネジ部５４７が第１連結部２２７のネジ穴５６７に螺合することにより、第１連結部２２７に固定される。さらに変形例７では、第２連結部５０７は、外ネジ部５４７に螺合し第２開口４４７の中心軸の方向を固定するナット部５８７を有する。
【０１０４】
ナット部５８７は、第２開口４４７の中心軸が所定の方向に向いた状態で、外ネジ部５４７に螺合し第１連結部２２７の先端に接して固定される。外ネジ部５４７は第２連結部５０７の先端からアイ部５２７まで設けられており、ナット部５８７は外ネジ部５４７の軸方向の任意の位置で第１連結部２２７に対して固定される。
【０１０５】
変形例７によれば、第２開口４４７の中心軸を、第１開口４２０の中心軸と異なる任意の方向に向けて保持することができる。
【０１０６】
（変形例８）
図７（ｂ）は、本実施形態の変形例８に係るプーリングアイ２０８を示す斜視図である。変形例７では、第２連結部の第１連結部に対する固定態様が変形例２と異なる。
【０１０７】
図７（ｂ）に示されているように、第２連結部５０８ａ，５０８ｂは、それぞれナット部５８８ａ，５８８ｂを有する。
【０１０８】
変形例８によれば、第２開口４４８ａ，４４８ｂのそれぞれの中心軸を、第１開口４２０の中心軸と異なる任意の方向に向けて保持することができる。
【０１０９】
＜本発明の他の実施形態＞
以上、本発明の実施形態について具体的に説明したが、本発明は上述の実施形態に限定されるものではなく、その要旨を逸脱しない範囲で種々変更可能である。
【０１１０】
上述の実施形態では、電力ケーブル１００を牽引する一方向に対して、一つの開口が設けられる場合について説明したが、本発明はこれに限定されるものではない。電力ケーブルを牽引する一方向に対して、複数の開口が設けられていてもよい。このとき、複数の開口のそれぞれにシャックルを連結することにより、同時に複数のシャックルを用いて電力ケーブルを牽引してもよい。
【０１１１】
また、上述の実施形態では、第２開口４４０の直径が第１開口４２０の直径と同じである場合について説明したが、本発明はこれに限定されるものではない。第２開口の直径は、第１開口と異なる直径であってもよい。
【０１１２】
また、上述の実施形態では、第１開口４２０および第２開口４４０の形状が円筒状である場合について説明したが、本発明はこれに限定されるものではない。第１開口および第２開口の形状は多角柱状であってもよい。また、第２開口の形状は、第１開口の形状と異なっていても良い。
【符号の説明】
【０１１３】
２０  管路
９０  壁面
１００  電力ケーブル
１０２  ケーブルコア
１０４  ケーブルシース
２００〜２０８  プーリングアイ
２２０  連結部
２２１〜２２２  第１連結部
２２３  第１板状部
２３３ａ，２３３ｂ  第２板状部
２４０  固定部（固定キャップ）
２４２  筒状部
２４４  内ネジ部
２４８  ビス取り付け孔
２６０  分岐板
２６２  貫通孔
２８０  ナット部
３００  鋼スリーブ
３２０  ロッド部
３２２  外ネジ部
３２６  割りピン孔
３４０  スカート部
３６２  防水層
３６４  テープ
３６６ａ，３３６ｂ  防水パテ
３８０  補強層
４２０  第１開口
４４０〜４４８  第２開口
４４６ｃ  第３開口
５０１，５０２，５０７，５０８  第２連結部
５２１，５２２ａ，５２２ｂ，５２７，５２８ａ，５２８ｂ  アイ部
５４１，５４２ａ，５４２ｂ，５４７，５４８ａ，５４８ｂ  外ネジ部
５６１，５６２ａ，５６２ｂ，５６７，５６８ａ，５６８ｂ  ネジ穴
５８７，５８８ａ，５８８ｂ  ナット部
６００  牽引治具
６０２，６０４，６０６，６０８  シャックル
６２２  本体部
６２４  ピン部
６４２，６４４  開口
６４６，６４８  ボルト
６６０  ワイヤヘッド
６６２  開口
７００,７０２,７０４,７０６  ウインチ
７２０,７２２，７２４，７２６，７２８  ワイヤ
８００，８０２  金車
８０４  壁面固定部
８２０  支持台
【図１】
2015109766.tif 000003
【図２】
2015109766.tif 000004
【図３】
2015109766.tif 000005
【図４】
2015109766.tif 000006
【図５】
2015109766.tif 000007
【図６】
2015109766.tif 000008
【図７】
2015109766.tif 000009
【図８】
2015109766.tif 000010
【図９】
2015109766.tif 000011